(57)【要約】【課題】重いワークを、所望の姿勢に安定に固定できるバイスの提供。【解決手段】バイスＡは、作業台２に固定され、旋回可能に基盤１へ載置される旋回板４と、案内溝５１を有し旋回板４から立設する半円板５、５と、回動可能に半円板５、５間に取り付けられ、任意の姿勢で固定が可能なバイス本体６とを備え、ゴム板ｇ１、ｇ２を貼着した口金７１、８１間に、チェーンソー等の重い刃物工具を刃が付いた状態で挟持固定することにより、鑢等で容易に刃を研ぐことができる。【選択図】図１
2005212081.tif 000002
【特許請求の範囲】
【請求項１】
盤面に箱形断面を有する溝を円形に形成し、この円形溝の中心に雌ネジ付きの凹所を形成し、作業台の上面に固定される基盤と、
板上面から内部へ雌ネジを形成し、前記凹所を隔てて溝内に対向配置される一組の摺動板と、
前記凹所へ臨む位置に形成した中央連通穴へ抜け防止用のネジ付きキャップを嵌め込み、前記摺動板の前記雌ネジへ臨む位置に形成した一組の連通穴に向き固定用のハンドルが付いた雄ネジを螺合させ、旋回可能に前記基盤へ載置される旋回板と、
前記旋回板から立設し、板縁近傍に案内溝を円弧状に設けた一組の半円板と、
固定ブロックおよび可動ブロックの口金下方の中央に、それぞれ貫通穴および雌ネジ部を形成し、前記貫通穴から前記雌ネジ部へ、挟持用のハンドルが付いた送りネジ軸を捩じ込んでなり、前記固定ブロックの下部側面を各半円板に軸着し、前記案内溝に臨む位置の側面に雌ネジを形成し、傾斜角固定用の雄ネジ付きハンドルにより、回動可能に半円板間に取り付けられるバイス本体とを備えることを特徴とするバイス。
【請求項２】
前記固定ブロックの口金下方の各端に一端側を螺着した雄ネジを、前記可動ブロックの口金下方の各端に形成した端側筒部へ挿通し、長物挟持用のハンドル付きナットを前記雄ネジの他端側に螺合させたことを特徴とする請求項１に記載のバイス。
【請求項３】
前記固定ブロックの口金および前記可動ブロックの口金に、ゴム板を弾性粘着体を用いて貼着したことを特徴とする請求項１または請求項２に記載のバイス。
【請求項４】
各ゴム板の挟持面に一定方向の溝を複数形成するとともに、前記固定ブロックの口金に貼着する前記ゴム板の挟持面に形成する溝の方向と、前記可動ブロックの口金に貼着する前記ゴム板の挟持面に形成する溝の方向とが直交することを特徴とする請求項１乃至請求項３の何れかに記載のバイス。
【請求項５】
前記固定ブロックの口金と前記可動ブロックの口金との間に挟持されるワークは、切削工具、チェーンソー、電動丸のこ、電動枝切り具、鋏、鋸等の刃物工具であることを特徴とする請求項１乃至請求項４の何れかに記載のバイス。
【請求項６】
前記固定ブロックの口金と前記可動ブロックの口金との間に挟持されるワークは、金属、石膏、または木等で形成した工作物であることを特徴とする請求項１乃至請求項４の何れかに記載のバイス。
【発明の詳細な説明】
【技術分野】
【０００１】
本発明は、対向するブロックの口金の間にワークを挟んで固定するバイス（万力）に関する。
【背景技術】
【０００２】
特許文献１には、コマ昇降ハンドルを緩めた状態で接続板の傾斜角度・方向角度を合わせておき、コマ昇降ハンドルを締めると、回転球がコマと上板に挟まれ接続板が固定される回転万力台が開示されている。
【特許文献１】実開平５−９３７６０号公報
【発明の開示】
【発明が解決しようとする課題】
【０００３】
回転球の摩擦力で接続板を固定する構造であるので、重いワークは、接続板に載せられない。
コマ昇降ハンドルを緩めると、接続板の固定が解除されるのでワークが倒れてくるが、その方向が予想できない。このため、ワークの破損や作業者の怪我を招き易い。
【０００４】
本発明の目的は、重いワークを、所望の姿勢に安定して固定できるバイスの提供にある。
【課題を解決するための手段】
【０００５】
〔請求項１について〕
請求項１のバイスは、盤面に箱形断面を有する溝を円形に形成し、この円形溝の中心に雌ネジ付きの凹所を形成し、作業台の上面に固定される基盤と、板上面から内部へ雌ネジを形成し、前記凹所を隔てて溝内に対向配置される一組の摺動板と、前記凹所へ臨む位置に形成した中央連通穴へ抜け防止用のネジ付きキャップを嵌め込み、前記摺動板の前記雌ネジへ臨む位置に形成した一組の連通穴に向き固定用のハンドルが付いた雄ネジを螺合させ、旋回可能に前記基盤へ載置される旋回板と、前記旋回板から立設し、板縁近傍に案内溝を円弧状に設けた一組の半円板と、固定ブロックおよび可動ブロックの口金下方の中央に、それぞれ貫通穴および雌ネジ部を形成し、前記貫通穴から前記雌ネジ部へ、挟持用のハンドルが付いた送りネジ軸を捩じ込んでなり、前記固定ブロックの下部側面を各半円板に軸着し、前記案内溝に臨む位置の側面に雌ネジを形成し、傾斜角固定用の雄ネジ付きハンドルにより、回動可能に半円板間に取り付けられるバイス本体とを備えることを特徴とする。
【０００６】
〔請求項２について〕
請求項２のバイスは、請求項１の構成に加え、前記固定ブロックの口金下方の各端に一端側を螺着した雄ネジを、前記可動ブロックの口金下方の各端に形成した端側筒部へ挿通し、長物挟持用のハンドル付きナットを前記雄ネジの他端側に螺合させたことを特徴とする。
【０００７】
〔請求項３について〕
請求項３のバイスは、請求項１または請求項２の構成に加え、前記固定ブロックの口金および前記可動ブロックの口金に、ゴム板を弾性粘着体を用いて貼着したことを特徴とする。
【０００８】
〔請求項４について〕
請求項４のバイスは、請求項１乃至請求項３の何れかの構成に加え、各ゴム板の挟持面に一定方向の溝を複数形成するとともに、前記固定ブロックの口金に貼着する前記ゴム板の挟持面に形成する溝の方向と、前記可動ブロックの口金に貼着する前記ゴム板の挟持面に形成する溝の方向とが直交することを特徴とする。
【０００９】
〔請求項５について〕
請求項５のバイスは、請求項１乃至請求項４の何れかの構成に加え、前記固定ブロックの口金と前記可動ブロックの口金との間に挟持されるワークは、切削工具、チェーンソー、電動丸のこ、電動枝切り具、鋏、鋸等の刃物工具であることを特徴とする。
【００１０】
〔請求項６について〕
請求項６のバイスは、請求項１乃至請求項４の何れかの構成に加え、前記固定ブロックの口金と前記可動ブロックの口金との間に挟持されるワークは、金属、石膏、または木等で形成した工作物であることを特徴とする。
【発明の効果】
【００１１】
〔請求項１について〕
作業台の上面に固定される基盤は、盤面に箱形断面を有する溝を円形に形成し、この円形溝の中心に雌ネジ付きの凹所を形成している。そして、箱形断面を有する溝内には、板上面から内部へ雌ネジを形成した一組の摺動板が、凹所を隔てて対向配置されている。
【００１２】
旋回可能に基盤へ載置される旋回板は、凹所へ臨む位置に形成した中央連通穴へ抜け防止用のネジ付きキャップを嵌め込み、摺動板の雌ネジへ臨む位置に形成した一組の連通穴に、向き固定用のハンドルが付いた雄ネジを螺合させている。
旋回板から立設する一組の半円板は、板縁近傍に案内溝を円弧状に設けている。
【００１３】
バイス本体は、固定ブロックおよび可動ブロックの口金下方の中央に、それぞれ貫通穴および雌ネジ部を形成している。そして、固定ブロックの下部側面を各半円板に軸着し、傾斜角固定用の雄ネジ付きハンドルにより、回動可能に半円板間に取り付けられている。更に、固定ブロックの貫通穴から可動ブロックの雌ネジ部へ、挟持用のハンドルが付いた送りネジ軸を捩じ込んでいる。
【００１４】
向き固定用のハンドル（一つ）および傾斜角固定用の雄ネジ付きハンドル（一つ）を回してバイス本体を固定状態にして、固定ブロックの口金と可動ブロックの口金との間にワークを配し、挟持用のハンドルを回してワークをバイス本体に挟持固定する。
【００１５】
バイス本体を固定状態にする際に回した、向き固定用のハンドルおよび傾斜角固定用の雄ネジ付きハンドルを逆に回してバイス本体の固定を一旦解除し、バイス本体を所望の向きと傾斜角に決定した後に、向き固定用のハンドルおよび傾斜角固定用の雄ネジ付きハンドルを回してバイス本体の姿勢を確定する。
この操作により、研いだり加工したりするのに適した所望の姿勢に、重いワークを安定して固定できる。なお、向き固定用のハンドルおよび傾斜角固定用の雄ネジ付きハンドルを各一つ回せば、バイス本体の固定や解除を行えるので便利である。
【００１６】
ワークが刃物工具である場合には、鑢や砥石等で刃を研ぐ。なお、刃を工具本体から外す必要がないので、作業時間の短縮が図れ、経済的効果が生じる。
ワークが工作物である場合には、鑢、彫刻刀、鋸等で加工する。
ワークを研いだり加工したりする部位を変える場合には、バイス本体の姿勢を確定する際に回した、向き固定用のハンドルおよび傾斜角固定用の雄ネジ付きハンドルを逆に回してバイス本体の固定を再度解除し、バイス本体を所望の向きと傾斜角に再決定した後に、向き固定用のハンドルおよび傾斜角固定用の雄ネジ付きハンドルを回してバイス本体の姿勢を再度確定する。
この操作により、研いだり加工したりする部位を変える場合でも所望の姿勢に、重いワークを安定して固定できる。この場合も、向き固定用のハンドルおよび傾斜角固定用の雄ネジ付きハンドルを各一つ回せば、バイス本体の固定や解除を行えるので便利である。
【００１７】
〔請求項２について〕
バイスは、固定ブロックの口金下方の各端に一端側を螺着した雄ネジを、可動ブロックの口金下方の各端に形成した端側筒部へ挿通し、長物挟持用のハンドル付きナットを雄ネジの他端側に螺合させている。なお、重い長物のワークを安定して挟持固定するためには、固定ブロックおよび可動ブロックの口金の幅を長くすることが好ましい。
【００１８】
向き固定用のハンドル（一つ）および傾斜角固定用の雄ネジ付きハンドル（一つ）を回してバイス本体を固定状態にして、固定ブロックの口金と可動ブロックの口金との間に長物のワークを配する。
挟持用のハンドルを回すことにより、長物のワークの中央部分がバイス本体に挟持固定される。更に、長物挟持用のハンドル付きナットを回すことにより、重い長物のワークの両端部分もバイス本体に挟持固定される。
【００１９】
バイス本体を固定状態にする際に回した、向き固定用のハンドルおよび傾斜角固定用の雄ネジ付きハンドルを逆に回してバイス本体の固定を一旦解除し、バイス本体を所望の向きと傾斜角に決定した後に、向き固定用のハンドルおよび傾斜角固定用の雄ネジ付きハンドルを回してバイス本体の姿勢を確定する。
この操作により、研いだり加工したりするのに適した所望の姿勢に、重く長いワークを安定して固定できる。なお、向き固定用のハンドルおよび傾斜角固定用の雄ネジ付きハンドルを各一つ回せば、バイス本体の固定や解除を行えるので便利である。
【００２０】
長いワークが刃物工具である場合には、鑢や砥石等で刃を研ぐ。なお、刃を工具本体から外す必要がないので、作業時間の短縮が図れ、経済的効果が生じる。
長いワークが工作物である場合には、鑢、彫刻刀、鋸等で加工する。
長いワークを研いだり加工したりする部位を変える場合には、バイス本体の姿勢を確定する際に回した、向き固定用のハンドルおよび傾斜角固定用の雄ネジ付きハンドルを逆に回してバイス本体の固定を再度解除し、バイス本体を所望の向きと傾斜角に再決定した後に、向き固定用のハンドルおよび傾斜角固定用の雄ネジ付きハンドルを回してバイス本体の姿勢を再度確定する。
【００２１】
この操作により、研いだり加工したりする部位を変える場合でも所望の姿勢に、重く長いワークでも安定してバイス本体に固定できる。この場合も、向き固定用のハンドルおよび傾斜角固定用の雄ネジ付きハンドルを各一つ回せば、バイス本体の固定や解除を行えるので便利である。
【００２２】
〔請求項３について〕
バイスは、固定ブロックの口金および可動ブロックの口金に、ゴム板を弾性粘着体を用いて貼着している。
このため、固定ブロックおよび可動ブロックの口金間に挟持固定させるワークの表面に傷が付き難い。また、ゴム板が損傷したり、劣化した場合には、容易に良品と取り替えることができる。
【００２３】
〔請求項４について〕
各ゴム板の挟持面に一定方向の溝を複数形成するとともに、固定ブロックの口金に貼着するゴム板の挟持面に形成する溝の方向と、可動ブロックの口金に貼着するゴム板の挟持面に形成する溝の方向とを直交させている。
このため、高い摩擦力により、ワークを強固に、固定ブロックの口金と可動ブロックの口金との間に挟持固定することができる。
【００２４】
〔請求項５について〕
バイスは、固定ブロックの口金と可動ブロックの口金との間に、重いワークを、所望の姿勢で安定して固定できる。
このため、刃が付いた状態で、切削工具、チェーンソー、電動丸のこ、電動枝切り具、鋏、鋸等の重い刃物工具を、バイス本体に挟持固定することができ、刃の着脱作業が不要である。
【００２５】
〔請求項６について〕
バイスは、固定ブロックの口金と可動ブロックの口金との間に、重いワークを、所望の姿勢で安定して固定できる。
このため、金属、石膏、または木等で形成された重い工作物を、所望の姿勢でバイス本体に挟持固定することができる。
【発明を実施するための最良の形態】
【００２６】
バイスは、盤面に箱形断面を有する溝を円形に形成し、この溝内に摺動板（二個）を配し、箱上面にネジ止めされる基盤と、抜け防止用のキャップを嵌め込むための中央連通穴および向き固定用のハンドルが付いた雄ネジを摺動板の雌ネジに螺合させるための連通穴（二個）を有し、旋回可能に基盤へ載置される旋回板と、案内溝を有し、旋回板から立設する半円板（二枚）と、固定ブロックの貫通穴から可動ブロックの雌ネジ部へ、ワーク挟持用のハンドルを付けた送りネジ軸を捩じ込み、固定ブロックの下部側面を半円板に軸着し、案内溝に臨む位置の側面に雌ネジを形成し、傾斜角固定用の雄ネジ付きハンドルにより、回動可能に半円板間に取り付けられるバイス本体とを備え、固定ブロックの口金および可動ブロックの口金に、溝付きのゴム板を厚手の両面接着テープを用いて貼着している。
旋回板の旋回が可能な状態において、向き固定用のハンドルを締まる方向に回すと、雄ネジが雌ネジに螺合するので摺動板が溝内を上がっていき隙間が無くなり、摺動板上面が溝天井面を押圧するので旋回板が固定され、旋回板の旋回が禁止状態になる。バイスは、この様な旋回板の旋回可能状態と旋回禁止状態とを切り替える機能を有するところに特徴がある。
バイスは、刃が付いた状態の重い刃物工具をバイス本体のブロックの口金間に任意の姿勢で挟持固定した状態で、鑢等で容易に刃を研ぐことができる。
【実施例１】
【００２７】
本発明の実施例１（請求項１〜５に対応）に係るバイスＡを、図１〜図６に基づいて説明する。
バイスＡは、円形の溝１１を有し、作業台２に固定される基盤１と、溝１１内に配される摺動板３と、旋回可能に基盤１へ載置される旋回板４と、案内溝５１を有する半円板５と、半円板５間に回動可能に取り付けられるバイス本体６とを備える。
【００２８】
基盤１は、厚さが数ｃｍ、直径が数十ｃｍの金属製の円盤であり、図５に示す様にボルトとナットで作業台２に固定される。この基盤１の上面には矩形の溝１１が輪設され、溝１１が描く円の中心に、雌ネジ１２を底に螺刻した円柱状の凹所１３が形成されている。なお、溝１１は箱形断面を有し、溝１１の上面入口の径方向寸法が、溝室の径方向寸法より短く設定されている（図４参照）。
【００２９】
作業台２は、一辺が数十ｃｍの木製の扉付きの箱である。
摺動板３は、溝１１内を摺動可能な外形を有する金属板であり、凹所１３を隔てて対向する様に、溝１１内に２個配置される。この摺動板３には、上面から内部へ向かって垂直に雌ネジ３１が形成されている。なお、摺動板３は、基盤１の裏面に形成した円形の開口１０から溝１１内へ挿入する（図４、図５参照）。
【００３０】
旋回板４は、縦、横が数十ｃｍの長方形で、厚さが数ｃｍの金属板である。この旋回板４の中央には中央連通穴４１が穿設され、この中央連通穴４１を挟んで、板の略対角線上に連通穴４２、４３が穿設されている。
なお、旋回板４を基盤１へ載置した状態で、穴上方から、雌ネジ１２、雌ネジ３１、３１が臨める位置に、中央連通穴４１、連通穴４２、４３が位置している。
【００３１】
中央連通穴４１には、抜け防止キャップ４４の径小部４５が嵌め込まれている。そして、雄ネジ４６を抜け防止キャップ４４の軸穴４７を通して、凹所１３の雌ネジ１２に捩じ込んでいる。
連通穴４２、４３には、旋回板４が基盤１上で旋回可能な様に、向き固定用のハンドル４８が付いた雄ネジ４９が嵌め込まれ、摺動板３の雌ネジ３１、３１に雄ネジ４９を緩く螺合させている。
【００３２】
金属製の半円板５、５は、旋回板４の側面にネジにより固定されている。この半円板５の板縁近傍には、幅数ｍｍの案内溝５１が円弧状に設けられている。また、下部には、固定ブロック７を枢着するための貫通穴５２が空けられている。
【００３３】
バイス本体６は、固定ブロック７、可動ブロック８、および送りネジ軸６１、雄ネジ６２、６３とからなる。
固定ブロック７は、口金７１を有する縦、横数十ｃｍの長方形の挟持板７２と、挟持板７２の外側に固定される突設部材７３とからなる。
口金７１には、縦溝を有する縦数ｃｍ、横数十ｃｍのゴム板ｇ１が厚手の粘着テープｎにより貼着されている。
また、口金下方の中央の貫通穴には軸受７４が溶接され、口金下方の左右の端には雄ネジ６２、６３を挿通させるための連通穴７５、７６が形成されている。
【００３４】
挟持板７２の下部には、半円板５の貫通穴５２に遊嵌するための回動軸７０が設けられている。
また、案内溝５１に臨む、突設部材７３の側面には雌ネジが形成され、傾斜角固定用の雄ネジ付きハンドル７７により、固定ブロック７が回動自在に半円板５、５間に取り付けられている。なお、雄ネジ付きハンドル７７は、内蔵したバネと歯車とにより、トルク伝達状態とトルク非伝達状態に切り替わる。
【００３５】
可動ブロック８は、口金８１を有する縦、横数十ｃｍの長方形の挟持板８２である。この口金８１には、横溝を有する縦数ｃｍ、横数十ｃｍのゴム板ｇ２が厚手の粘着テープｎにより貼着されている。
また、口金下方の中央には、リング状の雌ネジ部８３が形成され、口金下方の左右の端には、貫通穴に連通する端側筒部８４、８５が外面側に突設している。
【００３６】
６１は挟持用のハンドル６４を取り付けた送りネジ軸であり、固定ブロック７の軸受７４から可動ブロック８の雌ネジ部８３へ捩じ込まれている。
６２は一端側を固定ブロック７の連通穴７６側に螺着した雄ネジであり、可動ブロック８の端側筒部８５へ挿通している。この雄ネジ６２の他端側には長物挟持用のハンドル付きナット６５が螺合している。なお、ハンドル付きナット６５を手で直接回す以外に、補助具６０をハンドルに差し込んで回すこともできる（図１参照）。
また、６３は一端側を固定ブロック７の連通穴７５側に螺着した雄ネジであり、可動ブロック８の端側筒部８４へ挿通している。この雄ネジ６３の他端側には長物挟持用のハンドル付きナット６６が螺合している。
なお、最大１４ｃｍのワークを口金７１−口金８１間に固定することができる。
【００３７】
実施例１のバイスＡは、以下の様にして使用する。
（１）図６に示す様に、バネ９１付きの挟持具９２を用いて、チェーンソー９の回転刃９０を両側から一組の木片９３、９３で挟む。
【００３８】
（２）向き固定用のハンドル４８、４８、傾斜角固定用の雄ネジ付きハンドル７７、挟持用のハンドル６４、長物挟持用のハンドル付きナット６５、６６を緩む方向に回してバイス本体６の拘束を解除し、チェーンソー９を挟持させ易い姿勢にバイス本体６を位置決めする。
そして、向き固定用のハンドル４８および傾斜角固定用の雄ネジ付きハンドル７７を締まる方向に回して、バイス本体６をその姿勢で一旦、固定する。なお、バイス本体６が垂直になる様に固定すると、チェーンソー９を挟持させ易い。
【００３９】
（３）木片９３、９３で挟んだチェーンソー９の回転刃９０を、固定ブロック７の口金７１と可動ブロック８の口金８１との間に配し、挟持用のハンドル６４を締まる方向に回してバイス本体６に挟持固定する。
更に、補助具６０をハンドルに差し込んで、ハンドル付きナット６５、６６を回して締め付ける。
チェーンソー９の様に重くて長いワークは、挟持用のハンドル６４で中央の一カ所だけ締め付けてもチェーンソー９の重さが片寄るので不安定である。そこで、補助具６０を使ってハンドル付きナット６５、６６を回し、両側からも締め付けることにより、チェーンソー９を確実にバイス本体６に固定する。
なお、挟持固定後に挟持具９２を外す。
【００４０】
（４）向き固定用のハンドル４８および傾斜角固定用の雄ネジ付きハンドル７７を緩む方向に回してバイス本体６の拘束を解除し、回転刃９０の小刃を研ぎ易い姿勢にバイス本体６を位置決めする。
そして、再度、向き固定用のハンドル４８および傾斜角固定用の雄ネジ付きハンドル７７を締まる方向へ回してバイス本体６を固定する。
【００４１】
（５）回転刃９０を手動で回しながら、鑢９４等で回転刃９０の子刃を研ぐ。
（６）なお、回転刃９０の子刃を別の方向から研ぐ必要が有る場合には、（４）を実施して研ぎ易い姿勢にバイス本体６を固定する。
【００４２】
実施例１のバイスＡは、以下の利点を有する。
〔ア〕バイス本体６を固定する際に回した、向き固定用のハンドル４８および傾斜角固定用の雄ネジ付きハンドル７７を逆に回してバイス本体６の固定を一旦解除し、バイス本体６を所望の姿勢にした後に、向き固定用のハンドル４８および傾斜角固定用の雄ネジ付きハンドル７７を回してバイス本体６の姿勢を確定する。
この操作により、回転刃９０の子刃を研ぐのに適した所望の姿勢に、重いチェーンソー９を安定して固定できる。なお、向き固定用のハンドル４８および傾斜角固定用の雄ネジ付きハンドル７７を各一つ回せば、バイス本体６の固定や解除を行えるので便利である。  
【００４３】
また、研ぐ場所を変える場合でも、回転刃９０の子刃を研ぐのに適した姿勢に、重いチェーンソー９を安定して固定できる。この際も、向き固定用のハンドル４８および傾斜角固定用の雄ネジ付きハンドル７７を各一つ回せば、バイス本体６の固定や固定解除を行えるので便利である。
【００４４】
〔イ〕旋回板４の旋回が可能な状態において、向き固定用のハンドル４８を締まる方向に回すと、雄ネジ４９が雌ネジ３１に螺合するので摺動板３が溝内を上がっていき隙間が無くなり、摺動板３の上面が溝１１の天井面を押圧するので旋回板４が固定され、旋回板４の旋回が禁止状態になる。バイスＡは、この様な旋回板４の旋回可能状態と旋回禁止状態とを切り替える機能を有するので、チェーンソー９等のワークの向きを自在に変えて固定することができる。
【００４５】
〔ウ〕口金７１、８１の幅を長くしたバイスＡは、固定ブロック７の口金下方の各端に一端側を螺着した雄ネジ６２、６３を、可動ブロック８の口金下方の各端に形成した端側筒部８５、８４へ挿通し、長物挟持用のハンドル付きナット６５、６６を雄ネジ６２、６３の他端側に螺合させている。
このため、挟持用のハンドル６４とともに、長物挟持用のハンドル付きナット６５、６６も締まる方向に回せば、重いチェーンソー９の長い回転刃９０を隙間無く口金７１、８１間に挟持固定することができる。なお、チェーンソー９の回転刃９０を本体から外す必要がないので、作業時間の短縮が図れ、経済的効果が生じる。
【００４６】
〔エ〕縦溝を有するゴム板ｇ１を厚手の粘着テープｎで、固定ブロック７の口金７１に貼着している。また、横溝を有するゴム板ｇ２を厚手の粘着テープｎで、可動ブロック８の口金８１に貼着している。
このため、固定ブロック７および可動ブロック８の口金７１、８１間に挟持固定させる回転刃９０の表面に傷が付き難い。また、ゴム板ｇ１、ｇ２が損傷したり、劣化した場合には、粘着テープｎとともに、容易に良品と取り替えることができる。
なお、ゴム板ｇ１の溝の方向と、ゴム板ｇ２の溝の方向とを直交させているので、高い摩擦力が得られ、回転刃９０を強固に挟持固定することができる。
【００４７】
〔オ〕バネ９１付きの挟持具９２を用いることにより、チェーンソー９の回転刃９０の両側を一組の木片９３、９３で挟むことができる。
このため、一人で、口金７１、８１間に、チェーンソー９の回転刃９０を挟持固定させることができる。
【００４８】
本発明は、上記実施例以外に、以下の実施態様を含む。
ａ．固定ブロック７の口金７１と可動ブロック８の口金８１との間に挟持固定するワークは、チェーンソー９の回転刃９０以外に、切削工具、電動丸のこ、電動枝切り具、鋏、鋸等の刃物工具であっても良い（請求項５に対応）。
また、ワークは、金属、石膏、または木等で形成した工作物であっても良い（請求項６に対応）。
ｂ．作業台は、作業机であっても良い。また、高さが調節可能な機構を設けても良い。
【図面の簡単な説明】
【００４９】
【図１】本発明の実施例１に係るバイスの斜視図である。
【図２】そのバイスの要部側面図である。
【図３】そのバイスに用いるバイス本体の構造を示す説明図である。
【図４】そのバイスの要部を分解した分解斜視図である。
【図５】そのバイスの要部を分解した分解斜視図である。
【図６】そのバイスの使用例を示す説明図である。
【符号の説明】
【００５０】
１  基盤
２  作業台
３  摺動板
４  旋回板
５  半円板
６  バイス本体
７  固定ブロック
８  可動ブロック
９  チェーンソー（ワーク）
１１  溝
１２  雌ネジ
１３  凹所
３１  雌ネジ
４１  中央連通穴
４２、４３  連通穴
４４  抜け防止キャップ（抜け防止用のネジ付きキャップ）
４６  雄ネジ
４８  向き固定用のハンドル
４９  雄ネジ
５１  案内溝
６１  送りネジ軸
６２、６３  雄ネジ
６４  挟持用のハンドル
６５、６６  ハンドル付きナット
７１、８１  口金
７５、７６  連通穴
７７  雄ネジ付きハンドル
７８  雄ネジ
８３  雌ネジ部
８４、８５  端側筒部
Ａ  バイス
ｇ１、ｇ２  ゴム板
ｎ  粘着テープ（弾性粘着体）
【図１】
2005212081.tif 000003
【図２】
2005212081.tif 000004
【図３】
2005212081.tif 000005
【図４】
2005212081.tif 000006
【図５】
2005212081.tif 000007
【図６】
2005212081.tif 000008